(57)【要約】【課題】ベルト等の可撓性部材の繰り出しや巻き取りによって座位の入浴者を昇降させる入浴装置であって、昇降の際に入浴者等に負担が発生し難い入浴装置を提供する。【解決手段】入浴装置１は、浴槽の互いに対向する２つの側壁間を橋渡しするように配置される可撓性部材１１と、可撓性部材１１の繰り出し及び巻き取りを行う駆動部１３と、可撓性部材１１上に配置される座面部１４と、を備える。座面部１４には、可撓性部材１１の繰り出し及び巻き取りに応じて当該座面部１４の可撓性部材１１に対する位置を動かす移動手段１４２が設けられている。【選択図】図２
2015029767.tif 000002
【特許請求の範囲】
【請求項１】
浴槽の互いに対向する２つの側壁間を橋渡しするように配置される可撓性部材と、
前記可撓性部材の繰り出し及び巻き取りを行う駆動部と、
前記可撓性部材上に配置される座面部と、
を備える入浴装置であって、
前記座面部には、前記可撓性部材の繰り出し及び巻き取りに応じて当該座面部の前記可撓性部材に対する位置を動かす移動手段が設けられていることを特徴とする入浴装置。
【請求項２】
前記移動手段は、回転軸方向が前記可撓性部材の長手方向と略直交するように配置されるローラーであることを特徴とする請求項１に記載の入浴装置。
【請求項３】
前記ローラーは、前記座面部の互いに対向する２つの側面部に設けられていることを特徴とする請求項２に記載の入浴装置。
【請求項４】
前記座面部は、前記可撓性部材に着脱可能に設けられていることを特徴とする請求項１から３のいずれかに記載の入浴装置。
【請求項５】
前記可撓性部材の一端部を着脱可能な可撓性部材取り付け部を更に備えることを特徴とする請求項１から４のいずれかに記載の入浴装置。
【請求項６】
浴槽の縁に配置されるフレーム部を更に備え、
前記可撓性部材の一端部は、前記フレーム部に取り付けられることを特徴とする請求項１から５のいずれかに記載の入浴装置。
【発明の詳細な説明】
【技術分野】
【０００１】
本発明は、体が不自由で介助が必要な者（以下、要介助者と記載する）を入浴させるのに好適な入浴装置に関する。
【背景技術】
【０００２】
従来、例えば高齢者や身体障害者等の要介助者を入浴させるために使用される様々な入浴装置が知られている。例えば、特許文献１には、浴槽の横に配置されるウィンチと、一端が浴室の壁（浴槽を挟んでウィンチが配置される側とは反対側にある壁）に固定されると共にウィンチによって繰り出しと巻き取りが行われるベルトと、を備える入浴装置が開示されている。
【０００３】
この入浴装置を使用する場合、ウィンチによってベルトを一定量巻き取って、ベルトが浴槽上で張った状態とする。そして、この張った状態で入浴者をベルトに座らせ、ウィンチによってベルトを繰り出すことで、ベルトに座った入浴者を浴槽内へと下げられる。逆に、入浴者が浴槽内へと下げられた状態からウィンチによってベルトを巻き取ることで、浴槽内の入浴者を浴槽上へと引き上げられる。
【先行技術文献】
【特許文献】
【０００４】
【特許文献１】英国特許第２３６６７２２号明細書
【発明の概要】
【発明が解決しようとする課題】
【０００５】
ところで、特許文献１に開示される入浴装置は、入浴者をベルト上に直接座らせる構成になっている。この構成では、図１３に示すように、ベルト１００の繰り出しや巻き取りを行う際に（昇降の際に）、入浴者Ｍの座っている位置が左右に動いて、姿勢が傾いてしまう。このために、入浴者Ｍ本人（場合によっては介助者）は、ベルト１００の繰り出しや巻き取りに対応して、臀部（入浴者の臀部）を動かして姿勢を調整する必要がある。このような調整は、入浴者（場合によっては介助者）にとって負担である。
【０００６】
以上の点に鑑みて、本発明の目的は、ベルト等の可撓性部材の繰り出しや巻き取りによって座位の入浴者を昇降させる入浴装置であって、昇降の際に入浴者等に負担が発生し難い入浴装置を提供することである。
【課題を解決するための手段】
【０００７】
上記目的を達成するために本発明の入浴装置は、浴槽の互いに対向する２つの側壁間を橋渡しするように配置される可撓性部材と、前記可撓性部材の繰り出し及び巻き取りを行う駆動部と、前記可撓性部材上に配置される座面部と、を備える入浴装置であって、前記座面部には、前記可撓性部材の繰り出し及び巻き取りに応じて当該座面部の前記可撓性部材に対する位置を動かす移動手段が設けられている構成（第１の構成）になっている。なお、可撓性部材としては、例えばベルト、ワイヤー、チェーン等が挙げられる。可撓性部材は単数でも良いし、複数であってもよい。
【０００８】
本構成によれば、座面部が可撓性部材の繰り出しや巻き取りに応じて可撓性部材に対する位置を移動するようになっているために、座面部に座った入浴者（場合によっては介助者）は、可撓性部材の繰り出し等に応じて臀部（入浴者の臀部）を動かして、その位置を調整する必要がない。このために、本構成によれば、入浴者や介助者の負担を軽減でき、更には入浴者がリラックスして入浴できるといった効果も期待できる。
【０００９】
上記第１の構成の入浴装置において、前記移動手段は、回転軸方向が前記可撓性部材の長手方向と略直交するように配置されるローラーである構成（第２の構成）であってよい。本構成によれば、可撓性部材の繰り出しや巻き取りに応じて座面部を適切な位置に移動させる構成を簡単な構造で実現できる。
【００１０】
上記第２の構成の入浴装置において、前記ローラーは、前記座面部の互いに対向する２つの側面部に設けられている構成（第３の構成）とするのが好ましい。本構成によれば、可撓性部材上に配置される座面部を安定した状態で配置し易い。
【００１１】
上記第１から第３のいずれかの構成の入浴装置において、前記座面部は、前記可撓性部材に着脱可能に設けられている構成（第４の構成）としてもよい。本構成によれば、座面部を含む入浴装置の洗浄がし易くなる。また、本構成によれば、入浴装置が設置される浴槽について、要介助者ばかりでなく、健常者も快適に使用することが可能になる。
【００１２】
上記第１から第４のいずれかの構成の入浴装置は、前記可撓性部材の一端部を着脱可能な可撓性部材取り付け部を更に備える構成（第５の構成）であるのが好ましい。本構成によれば、可撓性部材の一端部を浴室の壁に取り付ける必要がない。このために、浴室の壁を工事する必要がない。また、本構成によれば、当該入浴装置を使用しない健常者等が入浴する場合には、可撓性部材を取り外すことが可能であるために便利である。
【００１３】
上記第１から第５のいずれかの構成の入浴装置は、浴槽の縁に配置されるフレーム部を更に備え、前記可撓性部材の一端部が、前記フレーム部に取り付けられる構成（第６の構成）であるのが好ましい。本構成によれば、入浴装置を浴室に設置する際に、例えば浴室の壁や床等にアンカーを打つといった設置工事が必要がなく、既存の浴室及び浴槽に対して入浴装置の設置が行い易くなる。また、本構成によれば、入浴装置を使用しない健常者も快適に入浴できるといった効果も期待される。
【発明の効果】
【００１４】
本発明によれば、ベルト等の可撓性部材の繰り出しや巻き取りによって座位の入浴者を昇降させる入浴装置であって、昇降の際に入浴者や介助者に負担が発生し難い入浴装置を提供できる。
【図面の簡単な説明】
【００１５】
【図１】本発明の実施形態に係る入浴装置の構成を示す概略斜視図
【図２】図１のＡ−Ａ位置における概略断面図
【図３】本発明の実施形態に係る入浴装置が浴槽に設置された状態を示す概略斜視図
【図４】図３に示す入浴装置から座面部に設けられるフラップを取り除いた図
【図５】本発明の実施形態に係る入浴装置を上から見た場合の概略平面図
【図６】本発明の実施形態に係る入浴装置の使用例を説明するための概略斜視図
【図７】本発明の実施形態に係る入浴装置の使用例を説明するための概略斜視図
【図８】本発明の実施形態に係る入浴装置の使用例を説明するための概略斜視図
【図９】本発明の実施形態に係る入浴装置が備える座面部と背面ベルトとの関係を示す概略拡大斜視図
【図１０】本発明の実施形態に係る入浴装置が備える座面部とサイドベルトとの関係を示す概略斜視図
【図１１】本発明の実施形態に係る入浴装置が備えるサイドベルトとフレーム部に設けられるベルト取り付け部との関係を示す概略斜視図
【図１２】本発明の実施形態に係る入浴装置において、座面部が取り外されると共にサイドベルト及び背面ベルトが所定位置に収容された状態を示す概略斜視図
【図１３】従来の入浴装置の問題点を説明するための模式図
【発明を実施するための形態】
【００１６】
以下、本発明の実施形態に係る入浴装置について、図面を参照しながら詳細に説明する。なお、本発明の実施形態に係る入浴装置は、浴室改修工事等の大規模な工事を行うことなく、既存の浴槽に取り付け可能な装置である。
【００１７】
図１は、本発明の実施形態に係る入浴装置１の構成を示す概略斜視図である。また、図２は、図１のＡ−Ａ位置における概略断面図である。図１及び図２に示すように、本実施形態の入浴装置１は、フレーム部１０と、サイドベルト１１と、移乗台部１２と、駆動部１３と、座面部１４と、背面ベルト１５と、を備えている。
【００１８】
フレーム部１０は、上面視略コの字状に形成され（当該形状は、フレーム部１０が、ベース部と、ベース部の両端から延在して互いに対向配置される一対の腕部とを備える構成によって実現されている）、図３に示すように、上面視略矩形状に設けられる浴槽２の縁に沿って配置される。なお、フレーム部は、浴槽の縁に載せられる形状であればよく、浴槽の形状に合わせて、その形状は適宜変更されて構わない。また、上面視略コの字状に形成されるフレーム部１０は、一対の腕部同士の幅を調整できる構成や、腕部の長さを変更できる構成であっても構わない。また、図３は、本発明の実施形態に係る入浴装置１が浴槽２に設置された状態を示す概略斜視図である。
【００１９】
図４は、図３に示す入浴装置１から座面部１４に設けられるフラップ１４１を取り除いた図である。図４に示すように、サイドベルト１１は、浴槽２の互いに対向する２つの側壁２１、２２間を橋渡しするように配置される。サイドベルト１１の一端は、浴槽２の側壁２１側において、フレーム部１０に設けられるベルト取り付け部１０１に取り付けられる。サイドベルト１１の他端側は、浴槽２の側壁２２の外面側に配置される移乗台部１２内のドラム１３１（図２参照）に巻き付けられる。なお、サイドベルト１１は、本発明の可撓性部材の一例である。本発明の可撓性部材は、ベルトに限らず、ワイヤーやチェーン等で構成されても構わない。例えば可撓性部材がワイヤーやチェーン等で構成される場合、２つの側壁２１、２２間を橋渡しする可撓性部材の数は複数（２本等）であっても構わない。また、ベルト取り付け部１０１は、本発明の可撓性部材取り付け部の一例である。
【００２０】
浴槽２の側壁２２の外面側に固定配置される移乗台部１２は、例えば車椅子等によって浴室に運び込まれた要介助者が、ベルト１１上に配置される座面部１４に移乗する際、又は、座面部１４から車椅子等に移乗する際に使用する台である。浴槽２の縁幅だけでは、移乗スペースとして十分ではなく、安定した移乗が行えないことが懸念される。この懸念を解消するために、移乗台部１２は設けられている。
【００２１】
図５は、本発明の実施形態に係る入浴装置１を上から見た場合の概略平面図である。図５に示すように、移乗台部１２は、上面視略凸字状になっている（図５において凸字は横向きになっている）。詳細には、浴槽２上に設けられるサイドベルト１１（座面部１４と言ってもよい）と横並びで設けられる移乗台部１２は、上面視した場合において、当該横並び方向の外部側（浴槽２が無い側）に向けて、突出部を有する構造になっている。このように構成されているために、例えば、入浴者（要介助者）を移乗台部１２から座面部１４へと移乗させる場合や、入浴者を座面部１４から移乗台部１２へと移乗させる場合に、介助者は足を踏み込んで作業し易くなっている。
【００２２】
図５に一点鎖線で示す部分が存在すると、介助者はその部分が邪魔になって足を踏み込めないが、本実施形態の構成では、一点鎖線で示す部分が空いたスペースとなるので、そのような不便さが解消（或いは低減）される。上面視略凸字状の移乗台部１２とすることによって、入浴者が臀部を載せる領域を確保しつつ、介助者が作業し易い構成を実現できる。また、上面視略凸字状の移乗台部１２とすることによって、移乗台部１２に腰をかける入浴者が踏ん張り易くなることも期待できる。
【００２３】
なお、本実施形態の入浴装置１においては、例えば図２等に示されるように、移乗台部１２は、側面視、下向きに厚みが薄くなる傾斜形状を含んでいる。これにより、上述した介助者の足の踏み込み易さは更に向上している。
【００２４】
図２に示すように、移乗台部１２の内部には駆動部１３が配置されている。別の言い方をすると、移乗台部１２は駆動部１３を収容する筐体で構成されている。このために、移乗台部１２と駆動部１３とを別々の位置に配置する場合に比べて省スペース化を図ることができる。また、本実施形態の構成では、入浴装置１が移乗台部１２を備えるために、入浴装置１とは別に移乗台を準備する必要がなく、介助者の作業手間を省ける。
【００２５】
駆動部１３は、サイドベルト１１の繰り出し及び巻き取りを行う機構として機能する。駆動部１３には、サイドベルト１１が巻き付けられるドラム１３１と、ドラム１３１を回動させるモーター１３２と、が含まれている。その他、駆動部１３には、例えば変速機等が含まれてよい。モーター１３２は、ドラム１３１を二方向に回転させることができる。モーター１３２によって、一の方向（図２において時計回り方向）にドラム１３１が回転される場合、サイドベルト１１が繰り出される。また、モーター１３２によって、他の方向（図２において反時計回り方向）にドラム１３１が回転される場合、サイドベルト１１が巻き取られる。
【００２６】
なお、本実施形態においては、移乗台部１２内に２つのローラー１３３、１３４が設けられている。ローラー１３３は、ベルト１１が所定量以上弛んだことを検出する手段の一部として使用される。また、ローラー１３４はサイドベルト１１の繰り出しや巻き取りの方向をガイドする。また、サイドベルト１１は、移乗台部１２の背面（浴槽２に対向する面）に設けられる貫通孔を介して移乗台部１２の外部に引き出されると共に、フレーム部１０を構成するフレーム１０ａとカバー１０ｂとの間の隙間を介してフレーム部１０外（浴槽２内）へと引き出されている（図２参照）。
【００２７】
その他、移乗台部１２内には、例えばリレーボックスやバッテリー等が含まれている。また、移乗台部１２の上面側は開閉可能に設けるのが好ましい。これにより、例えば駆動部１３のメンテナンスやバッテリーの交換等をスムーズに行うことができる。
【００２８】
座面部１４は、浴槽２の互いに対向する２つの側壁２１、２２間を橋渡しするように配置されるサイドベルト１１上に、当該ベルト１１の長手方向に沿って移動可能（橋渡し方向に移動可能）に取り付けられている。詳細には、座面部１４の左右の側面部（座面部１４に座った入浴者を基準とした表現）の下部側に、それぞれ、ローラー１４２が設けられている。
【００２９】
当該ローラー１４２は、その回転軸方向がサイドベルト１１の長手方向と略直交するように配置され、座面部１４の側面から突出するローラー支持部１４３によって回転可能に支持されている。座面部１４は、左右の側面部に設けられる２つのローラー１４２がサイドベルト１１に当接した状態で、サイドベルト１１上に配置されている。ローラー１４２の存在により、座面部１４は、サイドベルト１１の繰り出しや巻き取りに応じてサイドベルト１１の長手方向に沿って移動可能になっている。このローラー１４２は、本発明の移動手段の一例である。
【００３０】
例えば、サイドベルト１１が図３の状態から繰り出された場合、座面部１４は、当該ベルト１１の繰り出しに応じてベルト１１上の位置を移動させつつ、浴槽２内へと下がっていく。図２において、サイドベルト１１が矢印Ｘ１の方向に繰り出されると、座面部１４はベルト１１上を矢印Ｙ１の方向に移動して、浴槽２の中心（短手方向（橋渡し方向）の中心）に位置する。
【００３１】
逆に、座面部１４が浴槽２内に下げられた状態からサイドベルト１１が巻き取られた場合、座面部１４は、当該ベルト１１の巻き取りに応じてベルト１１上の位置を移動させつつ、浴槽２上部へと上がってくる。図２において、サイドベルト１１が矢印Ｘ２の方向に巻き取られると、座面部１４はベルト１１上を矢印Ｙ２の方向に移動して、浴槽２の中心に位置する。
【００３２】
すなわち、本実施形態の入浴装置１によれば、サイドベルト１１の繰り出し及び巻き取りに応じて、座面部１４は、その位置を適切な位置へと移動させる。このために、本実施形態の入浴装置１によれば、入浴者Ｍが臀部を直接ベルト１００に載せる従来の構成（図１３参照）のように、ベルトの繰り出し及び巻き取りに応じて一々臀部を動かしてその位置を調整する必要がない。
【００３３】
なお、座面部１４の左右の側面上部側には、フラップ１４１が取り付けられている。フラップ１４１は、座面部１４の左右の側面下部側に設けられるローラー１４２を覆うように設けられ、座面部１４に座る入浴者の手指がローラー１４２に触れることを抑止する。フラップ１４１は、座面部１４に対して角度変更可能に設けられており、例えば図１や図３等からわかるように、座面部１４の高さ位置によってその角度が変更される。なお、フラップ１４１を座面部１４に対して角度変更可能とする構成は、例えば、フラップ１４１と座面部１４とを可撓性の連結片で連結したり、蝶番を利用したりすることによって得てよい。フラップ１４１は、座面部１４と移乗台部１２とを繋ぐ役割を担っており、入浴者の移乗性を向上する機能も有する。なお、フラップ１４１は、場合によっては設けられなくても構わない。
【００３４】
座面部１４の後（背面）側（座面部１４に座った入浴者を基準とした表現）には、背面ベルト１５の一端側が取り付けられている。背面ベルト１５の他端側は、フレーム部１０上に設けられるベルト収容部１６内のドラム（不図示）に巻き付けられている。また、背面ベルト１５は、不図示の付勢部材（例えばゼンマイ）を利用してベルト収容部１６内に巻き取られる方向に付勢されている。なお、フレーム部１０上に配置されるベルト収容部１６は、座面部１４に座った入浴者から見て、背面側に存在する。
【００３５】
駆動部１３の駆動によってサイドベルト１１の繰り出しが行われて座面部１４が下降すると、背面ベルト１５は付勢部材の付勢力に反して繰り出される。一方、駆動部１３の駆動によってサイドベルト１１の巻き取りが行われて座面部１４が上昇すると、背面ベルト１５は付勢部材の付勢力によってベルト収容部１６内に巻き取られる。
【００３６】
このように背面ベルト１５は、モーター等の駆動源を使用することなく、その繰り出しと巻き取りが可能になっている。このために、ベルト収容部１６は、そのサイズを小型とでき、浴槽２内部に向けて出っ張り難くできる。そして、入浴者の背面側において、例えばフレーム部１０等の構造物は背面ベルト１５によって覆われた状態になる。このために、入浴者は、その背中側が構造物に接触して怪我をするといった危険な事態に遭遇し難くなっている。また、背面ベルト１５の存在により、入浴者は、その背中側で手指等を挟み込み難い。
【００３７】
次に、入浴装置１の使用例について、図６から図８を参照しながら説明する。車椅子等で浴室に運ばれた入浴者Ｍは、図６に示すように、浴槽２の側面に配置される移乗台部１２に移乗される。駆動部１３を収容する筐体を移乗台部１２として兼用しているために、入浴装置１全体のサイズを小さくしつつ、安全に移乗するためのスペースを稼ぐことができている。また、入浴装置１に移乗台部１２が備えられるために、別途移乗台を準備する必要がなく、介助者の作業負担を軽減できる。
【００３８】
移乗台部１２に腰をかけた入浴者Ｍは、移乗台部１２及びフラップ１４１上で臀部をずらしながら、図７に示すように座面部１４に至る。この際、介助者による介助が行われることがある。上述のように、浴槽２の側面に移乗台部１２が配置されているが、その形状（上面視略凸字状等）が工夫されている。このために、介助者は足を踏み込んで作業することができ、無理な姿勢で介助作業を行うことを避けられる。
【００３９】
入浴者Ｍが座面部１４に至ると、移乗台部１２内に設けられる駆動部１３が駆動されて、サイドベルト１１が繰り出される。サイドベルト１１が繰り出されると、座面部１４はベルト１１上の位置を移動しながら浴槽２内へと下がっていく。これにより、図８に示すように、入浴者Ｍは浴槽２内の湯に浸かることが可能になる。なお、サイドベルト１１の繰り出しに応じて座面部１４がサイドベルト１１上の位置を移動するために、入浴者は臀部の位置を調整する必要がない。また、座面部１４の下降に応じて背面ベルト１５が引き出されるために、入浴者Ｍは、その背中を浴槽２の壁面や構造物に擦ったり、ぶつけたりし難い。なお、入浴装置１においては、駆動部１３が浴槽２の側面側に設けられているために、入浴者Ｍの背面側に大きな構造物が載置され難い。この点からも、入浴者Ｍは、背中を怪我し難くなっている。
【００４０】
入浴者Ｍが浴槽２内から出る場合には、図８に示す状態から駆動部１３が駆動されて、サイドベルト１１が巻き取られる。サイドベルト１１が巻き取られると、座面部１４はベルト１１上の位置を移動しながら浴槽２上に上昇する。この際、背面ベルト１５も、付勢部材の付勢力によってベルト収容部１６内に巻き取られる。これにより、入浴者Ｍは、図７に示す位置に戻る。この際、サイドベルト１１の巻き取りに応じて座面部１４がサイドベルト１１上の位置を移動するために、入浴者は臀部の位置を調整する必要がない。
【００４１】
図７の位置に戻った入浴者Ｍは、介助者の助けを適宜借りながら、移乗台部１２を経て、車椅子等に移乗される。この際においても、移乗台部１２の形状（上面視略凸字状等）の工夫により、介助者は足を踏み込んで作業することができ、無理な姿勢で介助作業を行うことを避けられる。
【００４２】
ところで、本実施形態の入浴装置１は、入浴装置１を使用しない健常者等にも使用し易い構成になっている。これについて、以下、説明する。
【００４３】
図９は、本発明の実施形態に係る入浴装置１が備える座面部１４と背面ベルト１５との関係を示す概略拡大斜視図である。座面部１４の背面側（座面部１４に座った入浴者を基準とした表現）には、背面ベルト取り付け部１４４が設けられている。背面ベルト取り付け部１４４は、棒状部１４４ａと、それぞれ棒状部１４４ａの異なる端部側を支持する２つの支持部１４４ｂと、を備えている。また、背面ベルト１５の座面部１４に取り付けられる端部側には、間隔をあけて配置される２つのフック部１５１が設けられている。
【００４４】
２つのフック部１５１が棒状部１４４ａに引っ掛けられることによって、背面ベルト１５は座面部１４に連結される（図９参照）。２つのフック部１５１は、棒状部１４４ａから取り外し可能に設けられている。２つのフック部１５１が棒状部１４４ａから取り外されると、背面ベルト１５は、付勢部材の付勢力によって引っ張られてベルト収容部１６に収容される。
【００４５】
図１０は、本発明の実施形態に係る入浴装置１が備える座面部１４とサイドベルト１１との関係を示す概略斜視図である。なお、図１０においては、説明の都合上、座面部１４に設けられるフラップ１４１が省略されている。図１０に示すように、座面部１４の下面には、座面部１４がサイドベルト１１から外れることを防止する外れ防止部材１４５が設けられている。
【００４６】
外れ防止部材１４５は、座面部１４の下面側と対になってサイドベルト１１を挟むように、座面部１４の下面部側に取り付けられる。外れ防止部材１４５を座面部１４４に固定するために、例えばネジ等の固定手段が使用されてよい。なお、外れ防止部材１４５によって、座面部１４がサイドベルト１１から外れなくされた状態において、座面部１４はサイドベルト１１に対してスライド移動可能とされる。
【００４７】
本実施形態においては、外れ防止部材１４５の一端側を起立姿勢となるようにめくり上げ（図１０（ａ）参照）、更に、座面部１４をサイドベルト１１の短手方向に平行な方向（図１０（ｂ）の矢印方向）に動かすことによって、座面部１４をサイドベルト１１から取り外すことができる。なお、これに先立って、背面ベルト１５を座面部１４から取り外しておくのが好ましい。
【００４８】
図１１は、本発明の実施形態に係る入浴装置１が備えるサイドベルト１１とフレーム部１０に設けられるベルト取り付け部１０１との関係を示す概略斜視図である。図１１からわかるように、サイドベルト１１とベルト取り付け部１０１との関係は、背面ベルト１５と背面ベルト取り付け部１４３との関係と同様である。そして、サイドベルト１１の一端側に設けられるフック部１１１は、図１１に示すように、ベルト取り付け部１０１の棒状部１０１ａから取り外し可能に設けられている。
【００４９】
サイドベルト１１のフック部１１１をベルト取り付け部１０１の棒状部１０１ａから取り外して、駆動部１３によってサイドベルト１１を所定量巻き取る。これによって、図１２に示すような、サイドベルト１１が浴槽２の側壁２１、２２間を橋渡しするように配置されていない状態が得られる。これにより、健常者等は、入浴装置１が邪魔と感じたり、入浴装置１によって圧迫感を与えられたりすることなく、浴槽２に入ることができる。なお、図１２は、本発明の実施形態に係る入浴装置１において、座面部１４が取り外されると共にサイドベルト１１及び背面ベルト１５が所定位置に収容された状態を示す概略斜視図である。また、背面ベルト１５が所定量収容された状態で、ベルト収容部１６は蓋をできるようにしてよい。
【００５０】
本実施形態のように、座面部１４をサイドベルト１１に対して着脱可能に設けることによって、座面部１４を含めた入浴装置１の清掃やメンテナス等を行い易くなる。このために、本実施形態の入浴装置１は、衛生面においても優れると言える。
【００５１】
以上に示した実施形態は、本発明の例示にすぎない。以上に示した実施形態の構成は、本発明の技術思想を超えない範囲で適宜変更されて構わない。
【００５２】
例えば、以上に示した実施形態では、座面部１４の側面下部側にローラー１４３が設けられる構成としたが、ローラー１４３が設けられる位置は、例えば座面部１４の下面等であっても構わない。また、座面部１４に設けられるローラーの形状や数も、本実施形態の構成から適宜変更されて構わない。
【００５３】
また、以上に示した実施形態では、サイドベルト１１の一端がフレーム部１０の一部（ベルト取り付け部１０１）に取り付けられる構成とした。しかし、この構成に限定されず、サイドベルト１１の一端は、場合によっては、浴室の壁に取り付けられる構成としても構わない。
【００５４】
また、以上に示した実施形態では、背面ベルト１５を座面部１４に対して、また、座面部１４１をサイドベルト１１に対して、更に、サイドベルト１１をフレーム部１０に対して着脱可能に設けている。しかし、場合によっては、これらの全て、或いは、一部は、着脱可能でない構成であってもよい。
【符号の説明】
【００５５】
１  入浴装置
２  浴槽
１０  フレーム部
１１  サイドベルト（可撓性部材）
１３  駆動部
１４  座面部
２１、２２  側壁
１０１  ベルト取り付け部（可撓性部材取り付け部）
１４２  ローラー（移動手段）
【図１】
2015029767.tif 000003
【図２】
2015029767.tif 000004
【図３】
2015029767.tif 000005
【図４】
2015029767.tif 000006
【図５】
2015029767.tif 000007
【図６】
2015029767.tif 000008
【図７】
2015029767.tif 000009
【図８】
2015029767.tif 000010
【図９】
2015029767.tif 000011
【図１０】
2015029767.tif 000012
【図１１】
2015029767.tif 000013
【図１２】
2015029767.tif 000014
【図１３】
2015029767.tif 000015